(57)【要約】【課題】複数の通信デバイスを装着している場合に、無駄な電力消費を避けながら、必要なウェイクアップ動作を実行させる。【解決手段】装置本体の電源オン時に情報処理を行なうＣＰＵ＋ノースブリッジ回路２１と、装置本体の電源がオフされた状態で外部装置からのウェイクアップ信号を受信してその外部装置との通信状態に移行可能な通信デバイスとしての無線ＬＡＮカード１９及びブルートゥースカード２０と、これらカード１９，２０とＣＰＵ＋ノースブリッジ回路２１との間での情報の送受を制御するカードコントローラ２４と、電源オフ時に電源供給するカードの識別情報を保持し、当該カード１９，２０からのウェイクアップ信号に基づいて装置本体の電源をオン設定するＥＣ２９と、ＥＣ２９の保持する識別情報に基づいて上記カード１９，２０への電源供給を個々にオン／オフ制御するカード電源コントローラ３２とを備える。【選択図】　　図２
2004038295.tif 000002
【特許請求の範囲】
【請求項１】
外部からの信号を受信可能な第１の通信デバイスと、
この第１の通信デバイスと異なる外部からの信号を受信可能な第２の通信デバイスと、
自装置が電源をオフした状態で上記第１の通信デバイスまたは第２の通信デバイスへ選択的に電源供給可能な電源供給手段と、
この電源供給手段により電源が供給されている上記第１の通信デバイスまたは第２の通信デバイスを介して受信した信号に基づいて、自装置の電源をオンする起動手段と
を具備したことを特徴とする情報処理装置。
【請求項２】
上記第１の通信デバイス及び上記第２の通信デバイスの少なくとも一方は、上記情報処理装置に着脱自在に設けられ、
上記電源供給手段は、上記第１の通信デバイス及び上記第２の通信デバイスのうち電源を供給している通信デバイスが上記情報処理装置からの離脱を検出した場合にその通信デバイスへの電源供給を停止する
ことを特徴とする請求項１記載の情報処理装置。
【請求項３】
上記電源供給手段は、上記第１の通信デバイス及び上記第２の通信デバイスのうち電源を供給している通信デバイスが上記情報処理装置からの離脱を検出した場合にそれまで電源を供給していなかった通信デバイスに対して電源の供給を開始することを特徴とする請求項２記載の情報処理装置。
【請求項４】
上記電源供給手段は、上記離脱された通信デバイスが再度上記情報処理装置に装着された場合に、装着された通信デバイスへの電源の供給を再開し、それまで電源を供給していた通信デバイスへの電源の供給を停止することを特徴とする請求項３記載の情報処理装置。
【請求項５】
上記情報処理装置の電源をオフした状態で上記電源供給手段により電源を供給する通信デバイスの識別情報を記憶する記憶手段をさらに具備し、
上記電源供給手段は、上記第１の通信デバイスまたは上記第２の通信デバイスが上記情報処理装置に装着され、上記記憶手段が記憶している識別情報と装着された通信デバイスの識別情報とが一致した場合に、その装着された通信デバイスへの電源の供給を開始する
ことを特徴とする請求項２記載の情報処理装置。
【請求項６】
上記情報処理装置の電源をオフした状態で上記電源供給手段により電源を供給する通信デバイスの識別情報を記憶する記憶手段をさらに具備し、
上記電源供給手段は、上記第１の通信デバイスまたは上記第２の通信デバイスが上記情報処理装置に装着され、上記記憶手段が記憶している識別情報と装着された通信デバイスの識別情報とが一致した場合に、その装着された通信デバイスへの電源の供給を開始し、
それまで電源を供給していた通信デバイスに対する電源の供給を停止させる
ことを特徴とする請求項２記載の携帯情報装置。
【請求項７】
時計部と、
所定時間帯を記憶する記憶部とをさらに具備し、
上記電源供給手段は、上記と軽侮の計時する現在時刻と上記記憶部に記憶した所定時間帯の情報に基づき、上記情報処理装置が電源をオフした状態で電源を供給している上記第１の通信デバイスまたは上記第２の通信デバイスに対しても電源の供給を停止する
ことを特徴とする請求項１、２、５及び６いずれかに記載の情報処理装置。
【請求項８】
オペレーティングシステム及びアプリケーションプログラムを記憶デバイスに保持して電源オフ状態に移行させるサスペンド処理手段と、
上記サスペンド処理手段により移行した電源オフ時に、上記第１の通信デバイスまたは上記第２の通信デバイスへ選択的に電源供給を行ない、電源を供給している上記第１の通信デバイスまたは上記第２の通信デバイスを介して受信した信号に基づいて、上記情報処理装置の電源をオンにする起動手段と
をさらに具備したことを特徴とする請求項１または２記載の情報処理装置。
【請求項９】
外部からの信号を受信可能な第１の通信デバイスと、この第１の通信デバイスと異なる外部からの信号を受信可能な第２の通信デバイスとを備えた情報処理装置の電源制御方法であって、
上記情報処理装置が電源をオフした状態で上記第１の通信デバイスまたは第２の通信デバイスへ選択的に電源を供給する電源供給工程と、
この電源供給工程で電源が供給されている上記第１の通信デバイスまたは第２の通信デバイスを介して受信した信号に基づいて、上記情報処理装置の電源をオンする起動工程と
を有したことを特徴とする電源制御方法。
【請求項１０】
外部からの信号を受信可能な第１の通信デバイスと、この第１の通信デバイスと異なる外部からの信号を受信可能な第２の通信デバイスとを備え、少なくともその一方は装置に対して着脱自在に設けられた情報処理装置の電源制御方法であって、
上記情報処理装置が電源をオフした状態で上記第１の通信デバイスまたは第２の通信デバイスへ選択的に電源を供給する第１の工程と、
この第１の工程で電源が供給されている上記第１の通信デバイスまたは第２の通信デバイスを介して受信した信号に基づいて、上記情報処理装置の電源をオンする第２の工程と、
上記第１の工程で、上記第１の通信デバイス及び上記第２の通信デバイスのうち電源を供給している通信デバイスが上記情報処理装置からの離脱を検出した場合にその通信デバイスへの電源の供給を停止する第３の工程と、
この第３の工程により電源の供給を停止した通信デバイスに代えて、それまで電源を供給していなかった通信デバイスに対して電源の供給を開始する第４の工程と、
上記離脱された通信デバイスが再度上記情報処理装置に装着された場合に、装着された通信デバイスへの電源の供給を再開し、それまで電源を供給していた通信デバイスへの電源の供給を停止する第５の工程と
を有したことを特徴とする電源制御方法。
【請求項１１】
上記情報処理装置の電源をオフした状態で電源を供給する通信デバイスの識別情報を記憶する記憶工程をさらに有し、
上記第５の工程は、上記第１の通信デバイスまたは上記第２の通信デバイスが上記情報処理装置に装着され、上記記憶工程で記憶した識別情報と装着された通信デバイスの識別情報とが一致した場合にのみ、その装着された通信デバイスへの電源の供給を開始する
ことを特徴とする請求項１０記載の電源制御方法。
【発明の詳細な説明】
【０００１】
【発明の属する技術分野】
この発明は、例えばＰＤＡやハンドヘルドタイプのパーソナルコンピュータ等に好適な情報処理装置及び電源制御方法に関する。
【０００２】
【従来の技術】
近年、ＰＤＡ（Ｐｅｒｓｏｎａｌ　Ｄｉｇｉｔａｌ　Ａｓｓｉａｔａｎｔ：携帯情報端末）やハンドヘルドタイプのパーソナルコンピュータ等の携帯容易な情報処理装置がより広く普及しつつある。
【０００３】
また、無線通信技術の発達により、これらの情報処理装置に無線通信手段が内蔵されたものも普及しており、手軽にネットワークに接続可能な機器も普及している。
【０００４】
この無線通信手段としては、例えばＢｌｕｅｔｏｏｔｈ（以下「ブルートゥース」と称する）やＩＥＥＥ８０２．１１規格に準じた無線方式等があり、これらの無線通信手段を情報処理装置内に内蔵して無線通信を実現している。
【０００５】
また、近年は無線通信機能を有するカードデバイスも開発されており、上記のような無線通信手段が内蔵されていない情報処理装置においても、無線カードデバイスを情報処理装置に設けられた所定のカードスロットに挿入し、手軽に無線通信を行なうことを可能としている。
【０００６】
このような無線通信可能な情報処理装置では、その情報処理装置が電源をオフしている状態で、外部からの信号を無線通信手段を介して受信し、その信号をトリガとして情報処理装置の電源を行なう状態に移行させるというウェイクアップ技術が搭載されているものもある。
【０００７】
【発明が解決しようとする課題】
上記ウェイクアップ技術を実現するためには、電源オフ時にもカードスロットに挿入された無線通信カードへの電源供給を続行しなければならず、容量が制限されている電池を電源として使用する携帯情報装置では、無駄に電源の電力を消費してしまうこともある。
【０００８】
そのため、上記ウェイクアップ技術の実行の有無を予め設定しておくことで、ある程度の電力消費は避けられないものの、ウェイクアップ動作に備えるか、あるいはウェイクアップ動作を一切行なわないものとして電源の消費を極力抑えるかを選択可能にした携帯情報装置もある。
【０００９】
しかしながら、このような携帯情報装置では、ウェイクアップ動作が可能な例えば無線通信カードのような複数の通信デバイスを装着している場合であっても、単にウェイクアップ動作を行なうか否かを択一的に設定するものであり、消費電力と必要なウェイクアップ動作とのバランスを考慮して詳細に設定することはできなかった。
【００１０】
上記課題を解決するためにこの発明では、複数ののような実情に鑑みてなされたもので、その目的とするところは、複数の通信デバイスを有するか、または着脱可能に装着する情報処理装置において、通信デバイスの消費電力を低減させつつ、必要なウェイクアップ動作を実行することが可能な情報処理装置及び電源制御方法を提供することにある。
【００１１】
【課題を解決するための手段】
請求項１記載の発明は、外部からの信号を受信可能な第１の通信デバイスと、この第１の通信デバイスと異なる外部からの信号を受信可能な第２の通信デバイスと、自装置が電源をオフした状態で上記第１の通信デバイスまたは第２の通信デバイスへ選択的に電源供給可能な電源供給手段と、この電源供給手段により電源が供給されている上記第１の通信デバイスまたは第２の通信デバイスを介して受信した信号に基づいて、自装置の電源をオンする起動手段とを具備したことを特徴とする。
【００１２】
このような構成とすれば、２つの通信デバイス中でウェイクアップ動作の実行が必要なもののみに装置本体の電源がオフしている状態でも電源を供給することにより、無駄な電力消費を避けながら、ウェイクアップ動作を待機することができる。
【００１３】
請求項９記載の発明は、外部からの信号を受信可能な第１の通信デバイスと、この第１の通信デバイスと異なる外部からの信号を受信可能な第２の通信デバイスとを備えた情報処理装置の電源制御方法であって、上記情報処理装置が電源をオフした状態で上記第１の通信デバイスまたは第２の通信デバイスへ選択的に電源を供給する電源供給工程と、この電源供給工程で電源が供給されている上記第１の通信デバイスまたは第２の通信デバイスを介して受信した信号に基づいて、上記情報処理装置の電源をオンする起動工程とを有したことを特徴とする。
【００１４】
このような方法とすれば、２つの通信デバイス中でウェイクアップ動作の実行が必要なもののみに装置本体の電源がオフしている状態でも電源を供給させることにより、無駄な電力消費を避けながら、ウェイクアップ動作を待機させることができる。
【００１５】
請求項１０記載の発明は、外部からの信号を受信可能な第１の通信デバイスと、この第１の通信デバイスと異なる外部からの信号を受信可能な第２の通信デバイスとを備え、少なくともその一方は装置に対して着脱自在に設けられた情報処理装置の電源制御方法であって、上記情報処理装置が電源をオフした状態で上記第１の通信デバイスまたは第２の通信デバイスへ選択的に電源を供給する第１の工程と、この第１の工程で電源が供給されている上記第１の通信デバイスまたは第２の通信デバイスを介して受信した信号に基づいて、上記情報処理装置の電源をオンする第２の工程と、上記第１の工程で、上記第１の通信デバイス及び上記第２の通信デバイスのうち電源を供給している通信デバイスが上記情報処理装置からの離脱を検出した場合にその通信デバイスへの電源の供給を停止する第３の工程と、この第３の工程により電源の供給を停止した通信デバイスに代えて、それまで電源を供給していなかった通信デバイスに対して電源の供給を開始する第４の工程と、上記離脱された通信デバイスが再度上記情報処理装置に装着された場合に、装着された通信デバイスへの電源の供給を再開し、それまで電源を供給していた通信デバイスへの電源の供給を停止する第５の工程とを有したことを特徴とする。
【００１６】
このような方法とすれば、２つの通信デバイス中でウェイクアップ動作の実行が必要なもののみに装置本体の電源がオフしている状態でも電源を供給させることにより、無駄な電力消費を避けながら、ウェイクアップ動作を待機させることができるだけでなく、初期の設定状態を優先しながらも、その時点で装着されている通信デバイスに基づいてウェイクアップ動作を継続することができる。
【００１７】
【発明の実施の形態】
以下この発明をノートブックタイプのパーソナルコンピュータに適用した場合の一実施の形態について図面を参照して説明する。
【００１８】
図１は、パーソナルコンピュータ（ＰＣ）１０の外観構成を示すものである。同図でパーソナルコンピュータ１０は、本体ケース１１に対してヒンジ機構１２，１２によりカバーを兼ねた表示部１３が折畳み可能に接続されて構成される。
【００１９】
表示部１３は、その内面側にバックライト付きのカラー液晶パネル１４と電源スイッチ１５とを備える。
【００２０】
本体ケース１１は、その上面にポインティングデバイスを含むキーボード１６を備える一方で、その右側面にＰＣＭＣＩＡ規格に準拠したＰＣカードスロット１７を備えると共に、その前面左端にＳＤ（Ｓｅｃｕｒｅ　Ｄｉｇｉｔａｌ）カードスロット１８を備える。
【００２１】
ここでは、ＰＣカードスロット１７にウェイクアップ起動信号を受信する通信デバイスとして、例えばＩＥＥＥ８０２．１１規格に準拠した無線ＬＡＮカード１９を着脱自在に装着する。
【００２２】
ＳＤカードスロット１８にウェイクアップ起動信号を受信する通信デバイスとして、ブルートゥース規格に従って外部機器とのデータの送受を行なうブルートゥースカード２０を着脱自在に装着する。
【００２３】
図２は上記パーソナルコンピュータ１０内の一部回路構成を示す。
同図で、２１はこのパーソナルコンピュータ１０の電源オン時に各種データ処理を行なうＣＰＵ＋ノースブリッジ回路２１である。
【００２４】
このＣＰＵ＋ノースブリッジ回路２１に対してＰＣＩ（ＰｅｒｉｐｈｅｒａｌＣｏｍｐｏｎｅｎｔ　Ｉｎｔｅｒｃｏｎｎｅｃｔ）バス２２を介して、サウスブリッジ回路２３及びカードコントローラ２４が接続される。
【００２５】
サウスブリッジ回路２３は、ＰＣＩバス２２とＩＳＡバス２６との間でのデータ変換、トラフィック制御等を行なうコントローラである。
【００２６】
このサウスブリッジ回路２３は、ＲＴＣ（ＲｅａｌＴｉｍｅ　Ｃｌｏｃｋ）２５と接続されると共に、ＩＳＡ（Ｉｎｄｕｓｔｒｙ　Ｓｔａｎｄａｒｄ　Ａｒｃｈｉｔｅｃｔｕｒｅ）バス２６を介してＢＩＯＳ−ＲＯＭ２７と、シリアルバス２８を介してＥＣ（Ｅｍｂｅｄｅｄ　Ｃｏｎｔｒｏｌｌｅｒ：埋込みコントローラ）２９と、ＩＤＥインターフェイス（Ｉ／Ｆ）３０を介してＨＤＤ（ハードディスク装置）３１とそれぞれ接続される。
【００２７】
ＲＴＣ２５は、電源のオン／オフ状態に関係なく現在の時刻を計時し続ける。
【００２８】
ＢＩＯＳ−ＲＯＭ２７は、ＢＩＯＳ（Ｂａｓｉｃ　Ｉｎｐｕｔ／Ｏｕｔｐｕｔ
Ｓｙｓｔｅｍ：基本入出力システム）を固定記憶するＲＯＭである。
【００２９】
ＨＤＤ３１は、ＯＳ（Ｏｐｅｒａｔｉｎｇ　Ｓｙｓｔｅｍ：オペレーティングシステム）や各種アプリケーションプログラム、データファイル等を記憶する。
【００３０】
カードコントローラ２４は、上記ＰＣカードスロット１７及びＳＤカードスロット１８に装着されたカードと、上記ＰＣＩバス２２を介してＣＰＵ＋ノースブリッジ回路２１及びサウスブリッジ回路２３との間でデータの送受を行なうコントローラであり、ＰＣカードコントローラ２４ａとＳＤカードコントローラ２４ｂを内蔵する。
【００３１】
カードコントローラ２４とＰＣカードスロット１７とを接続する信号線は上記ＥＣ２９とも接続され、ＰＣカードスロット１７に無線ＬＡＮカード１９が装脱されることでカードコントローラ２４から出力されるカード検出信号ＣＤ−Ｐと、無線ＬＡＮカード１９で検出されるウェイクアップ信号がＥＣ２９に送られる。
【００３２】
同様に、カードコントローラ２４とＳＤカードスロット１８を接続する信号線は上記ＥＣ２９とも接続され、ＳＤカードスロット１８にブルートゥースカード２０が装脱されることでカードコントローラ２４から出力されるカード検出信号ＣＤ−Ｓと、ブルートゥースカード２０で検出されるウェイクアップ信号がＥＣ２９に送られる。
【００３３】
上記ＥＣ２９は、カードコントローラ２４からのウェイクアップ信号を受ける一方で、さらにカード電源コントローラ３２、上記電源スイッチ１５、バッテリ３３、及び電源コントローラ３４とも接続される。
【００３４】
カード電源コントローラ３２は、ＥＣ２９から与えられる信号とカードコントローラ２４からのコントロール信号に対応して、無線ＬＡＮカード１９を動作させるための動作電力ＰＣ−ＶをＰＣカードスロット１７及びカードコントローラ２４のＰＣカードコントローラ２４ａに対して供給する一方、ブルートゥースカード２０を動作させるための動作電力ＳＤ−ＶをＳＤカードスロット１８及びカードコントローラ２４のＳＤカードコントローラ２４ｂに供給する。
【００３５】
バッテリ３３は、このパーソナルコンピュータ１０の電源の１つであり、例えばリチウム−イオンタイプの充電池などが用いられる。このバッテリ３３は、電力をダイオードＤ１を介してＤＣ−ＤＣコンバータ３５に供給する一方、上記電源コントローラ３４にも供給する。
【００３６】
また、このパーソナルコンピュータ１０をＡＣ駆動するためのＡＣプラグ３６が図示しないＡＣコンセントに接続された場合、ＡＣプラグ３６から与えられる交流電力は、ＡＣアダプタ３７により整流、降圧され、ダイオードＤ２を介して上記ＤＣ−ＤＣコンバータ３５に供給される。
【００３７】
ＤＣ−ＤＣコンバータ３５は、電源コントローラ３４の制御の下に、与えられる電力を所定のいくつかの電圧値に変換して上記カード電源コントローラ３２を含む各回路に供給する。
【００３８】
上記ダイオードＤ１，Ｄ２は、バッテリ３３及びＡＣアダプタ３７からの電力が相互に逆流しないように設けたものである。
【００３９】
電源コントローラ３４は、バッテリ３３の電圧状態を監視し、ＤＣ−ＤＣコンバータ３５の動作を制御すると共に、ＥＣ２９に対してバッテリ３３の電圧状態を報告する。
【００４０】
次に上記実施の形態の動作について説明する。
【００４１】
この実施の形態では、あじめ上記ＰＣカードスロット１７に無線ＬＡＮカード１９を、ＳＤカードスロット１８にブルートゥースカード２０をそれぞれ装着しておくものとする。
【００４２】
この装着に際しては、無線ＬＡＮカード１９及びブルートゥースカード２０の各個体に固有な識別情報、例えばタプル情報をカードコントローラ２４を介してＥＣ２９が読出し、保持することとなる。
【００４３】
図３は、上記電源スイッチ１５の操作による電源オン状態から、電源オフ時に無線ＬＡＮカード１９、ブルートゥースカード２０をウェイクアップ起動信号を受信する通信デバイスとして設定するまでの処理内容を示す。
なお、本実施の形態では、この処理内容は主としてＥＣ２９により行なわれる。
【００４４】
まず、電源オフ状態から電源スイッチ１５の操作があるか否かを繰返し判断して、電源スイッチ１５の操作を待機する（ステップＡ０１）。
【００４５】
電源スイッチ１５が操作されると、ＥＣ２９がこれを検出してサウスブリッジ回路２３によりＨＤＤ３１に記憶されたＯＳを起動させる（ステップＡ０２）。
【００４６】
このＯＳの起動の過程で、一時的にＥＣ２９はカード電源コントローラ３２により、カードコントローラ２４のＰＣカードコントローラ２４ａと無線ＬＡＮカード１９へ電力ＰＣ−Ｖを供給すると共に、カードコントローラ２４のＳＤカードコントローラ２４ｂとブルートゥースカード２０へ電力ＳＤ−Ｖを供給する。
【００４７】
ＯＳによる設定処理中、ユーティリティの設定に基づいてウェイクアップ起動信号を受信する通信デバイス選択の実行の有無が設定されているか否かを判断し（ステップＡ０４）、設定されていないと判断した場合にはそのまま他の処理に移行する。
【００４８】
また、このステップＡ０４でウェイクアップ起動信号を受信する通信デバイス選択の実行の有無の設定がされていると判断した場合には、続いて具体的にＰＣカードスロット１７に装着された無線ＬＡＮカード１９及びＳＤカードスロット１８に装着されたブルートゥースカード２０の少なくとも一方について選択がされているか否かを判断する（ステップＡ０５）。
【００４９】
ここで、上記２つの少なくとも一方について選択指定されていると判断した場合には、次いでＳＤカードスロット１８に装着されたブルートゥースカード２０のみウェイクアップ起動信号を受信する通信デバイスとして選択されているか否かを判断する（ステップＡ０６）。
【００５０】
ブルートゥースカード２０のみがウェイクアップ起動信号を受信する通信デバイスとして選択されていると判断した場合には、ブルートゥースカード２０に関連した回路にのみ電源供給を行なうべく、カード電源コントローラ３２により、一方のカードコントローラ２４のＳＤカードコントローラ２４ｂとブルートゥースカード２０への電力ＳＤ−Ｖのみをオン設定して供給させ、他方のカードコントローラ２４のＰＣカードコントローラ２４ａと無線ＬＡＮカード１９への電力ＰＣ−Ｖはオフ設定させてその供給を停止する（ステップＡ０７）。
【００５１】
また、上記ステップＡ０６でブルートゥースカード２０のみがウェイクアップ起動信号を受信する通信デバイスとして選択されているのではないと判断した場合には、次にＰＣカードスロット１７に装着された無線ＬＡＮカード１９のみがウェイクアップ起動信号を受信する通信デバイスとして選択されているか否かを判断する（ステップＡ０８）。
【００５２】
無線ＬＡＮカード１９のみがウェイクアップ起動信号を受信する通信デバイスとして選択されていると判断した場合には、無線ＬＡＮカード１９に関連した回路にのみ電源供給を行なうべく、カード電源コントローラ３２により、一方のカードコントローラ２４のＰＣカードコントローラ２４ａと無線ＬＡＮカード１９への電力ＰＣ−Ｖのみをオン設定して供給させ、他方のカードコントローラ２４のＳＤカードコントローラ２４ｂとブルートゥースカード２０への電力ＳＤ−Ｖはオフ設定させてその供給を停止する（ステップＡ０９）。
【００５３】
さらに、上記ステップＡ０８で無線ＬＡＮカード１９のみがウェイクアップ起動信号を受信する通信デバイスと所定選択されているのでもないと判断した場合には、無線ＬＡＮカード１９とブルートゥースカード２０の双方がウェイクアップ起動信号を受信する通信デバイスとして選択されていることとなるので、無線ＬＡＮカード１９とブルートゥースカード２０の双方の関連回路に共に電源供給を行なうべく、カード電源コントローラ３２により、一方のカードコントローラ２４のＰＣカードコントローラ２４ａと無線ＬＡＮカード１９への電力ＰＣ−Ｖをオン設定して供給させると共に、他方のカードコントローラ２４のＳＤカードコントローラ２４ｂとブルートゥースカード２０への電力ＳＤ−Ｖもオン設定させて供給させる（ステップＡ１０）。
【００５４】
なお、上記ステップＡ０４でウェイクアップ起動信号を受信する通信デバイス選択の実行がされていると判断したものの、ステップＡ０５で上記２つのウェイクアップ起動信号を受信する通信デバイスが共に選択されていないと判断した場合には、上記ステップＡ０７，Ａ０９，Ａ１０の処理は実行しない。
【００５５】
しかして、上記ステップＡ０５で上記２つのウェイクアップ起動信号を受信する通信デバイスが共に選択されていないと判断した場合、及び上記ステップＡ０７，Ａ０９，Ａ１０の処理後、サスペンド状態で一旦電源をオフし（ステップＡ１１）、以上でウェイクアップ起動信号を受信する通信デバイスの設定に基づく処理を一旦終了して、ウェイクアップ起動信号の待機状態に移行する。
【００５６】
なお、上記ステップＡ０５で上記２つのウェイクアップ起動信号を受信する通信デバイスが共に選択されていないと判断した場合には、上記ステップＡ０７，Ａ０９，Ａ１０の処理を行なっていないために、サスペンド状態となった時点で、カード電源コントローラ３２による、カードコントローラ２４のＰＣカードコントローラ２４ａと無線ＬＡＮカード１９への電力ＰＣ−Ｖの供給と、カードコントローラ２４のＳＤカードコントローラ２４ｂとブルートゥースカード２０への電力ＳＤ−Ｖの供給は、共に停止されるものとする。
【００５７】
続いて、図４によりサスペンド状態下でウェイクアップ動作を待機する場合の主としてＥＣ２９による処理内容について説明する。
【００５８】
サスペンド状態にあっては、無線ＬＡＮカード１９またはブルートゥースカード２０からウェイクアップ信号が入力されたか否かを判断する（ステップＢ０１）。
【００５９】
ウェイクアップ信号が入力されなければ、次にＰＣカードスロット１７から無線ＬＡＮカード１９が抜かれるか、またはＳＤカードスロット１８からブルートゥースカード２０が抜かれることによりカードコントローラ２４から出力されるカード検出信号ＣＤ−ＰまたはＣＤ−Ｓがあるか否かを判断する（ステップＢ０２）。
【００６０】
これらカード検出信号を検出しない場合には、さらに新たにＰＣカードスロット１７に無線ＬＡＮカード１９が装着されたか、あるいはＳＤカードスロット１８にブルートゥースカード２０が装着されたことによりカードコントローラ２４から出力されるカード検出信号ＣＤ−ＰまたはＣＤ−Ｓがあるか否かを判断する（ステップＢ０３）。
【００６１】
これらの判断処理ステップＢ０１〜Ｂ０３を繰返し実行することにより、ウェイクアップ信号があるか、無線ＬＡＮカード１９またはブルートゥースカード２０が装脱されるのを待機する。
【００６２】
ステップＢ０１で無線ＬＡＮカード１９またはブルートゥースカード２０からウェイクアップ信号が入力されたと判断した場合、ＥＣ２９はそのウェイクアップ信号に基づいてさらに無線ＬＡＮカード１９とブルートゥースカード２０の一方から他方への変更設定がなされているか否かを判断する（ステップＢ０４）。
【００６３】
ここで、該変更設定がなされていると判断した場合にのみ、その設定に対応して、上記ウェイクアップ信号が無線ＬＡＮカード１９からのものであれば、カード電源コントローラ３２からの電力ＰＣ−Ｖに代えてＳＤカードコントローラ２４ｂ及びブルートゥースカード２０への電力ＳＤ−Ｖをオン設定させて電源供給する。
【００６４】
反対に上記ウェイクアップ信号がブルートゥースカード２０からのものであれば、カード電源コントローラ３２からの電力ＳＤ−Ｖに代えてＰＣカードコントローラ２４ａ及び無線ＬＡＮカード１９への電力ＰＣ−Ｖをオン設定させて電源供給する。
【００６５】
その後、サスペンド状態からリジューム機能により電源オン状態に復帰し（ステップＢ０６）、その時点で電源供給されているウェイクアップ起動信号を受信する通信デバイスにより最寄りの外部通信機器とのデータ通信を開始する。
【００６６】
上記ステップＢ０４またはＢ０５での処理は、ウェイクアップの待機状態とモバイルコンピューティング環境下でのデータ通信状態とでそれぞれ適したデータ通信の系統制御を実行するためのものである。
【００６７】
これは例えば、サスペンド状態では待機電力の小さいブルートゥースカード２０によるウェイクアップの待機動作を実行させる。そして、このパーソナルコンピュータ１０が移動して、外部との無線通信が可能な場所に移動した場合には、待機電力はブルートゥースカード２０に比較できないほど大きいものの、データの転送速度でははるかに有利な無線ＬＡＮカード１９による無線通信に切換える、というように実行する。
【００６８】
また、上記ステップＢ０２でカードコントローラ２４から出力されるカード検出信号ＣＤ−ＰまたはＣＤ−Ｓがあると判断した場合には、次にその検出信号がＣＤ−Ｓであるか否かを判断する（ステップＢ０７）。
【００６９】
ＣＤ−Ｓであった場合、抜かれたのはブルートゥースカード２０であることになるので、それまで装着されていたブルートゥースカード２０の識別情報を保持した上で、上記カード電源コントローラ３２からＳＤカードコントローラ２４ｂ及びブルートゥースカード２０への電力ＳＤ−Ｖをオフ設定させてその電源供給を停止させ（ステップＢ０８）、再び上記ステップＢ０１からの待機状態に移行する。
【００７０】
この際、図中に（）で示すように、新たにカード電源コントローラ３２からＰＣカードコントローラ２４ａ及び無線ＬＡＮカード１９への電力ＰＣ−Ｖをオン設定して電源供給を開始させ、異なる無線通信系統によるウェイクアップ動作の待機に移行するものとしてもよい。
【００７１】
また、上記ステップＢ０７でカードコントローラ２４から出力されるカード検出信号はＣＤ−Ｓではないと判断した場合には、その検出信号はＣＤ−Ｐであることとなり、無線ＬＡＮカード１９がＰＣカードスロット１７から抜かれたこととなるので、ＥＣ２９はそれまで装着されていた無線ＬＡＮカード１９の識別情報を保持する。
【００７２】
その上でＥＣ２９は、上記カード電源コントローラ３２からＰＣカードコントローラ２４ａ及び無線ＬＡＮカード１９への電力ＰＣ−Ｖをオフ設定させてその電源供給を停止させ（ステップＢ０９）、再び上記ステップＢ０１からの待機状態に移行する。
【００７３】
この際、図中に（）で示すように、新たにカード電源コントローラ３２からＳＤカードコントローラ２４ｂ及びブルートゥースカード２０への電力ＳＤ−Ｖをオン設定して電源供給を開始させ、異なる無線通信系統によるウェイクアップ動作の待機に移行するものとしてもよい。
【００７４】
上記ステップＢ０３で新たにＰＣカードスロット１７に無線ＬＡＮカード１９が装着されたか、あるいはＳＤカードスロット１８にブルートゥースカード２０が装着されたことによりカードコントローラ２４から出力されるカード検出信号ＣＤ−ＰまたはＣＤ−Ｓがあると判断した場合には、次にその新しく装着されたカード１９（または２０）の識別情報がそれまでそのスロット１７（または１８）に装着されていたカードの識別情報と一致するか否かにより、一度抜かれたカードが再度装着されたものであるか否かを判断する（ステップＢ１０）。
【００７５】
ここで識別情報が一致したと判断した場合にのみ、一度抜かれたカードが再度装着されたものとして、そのカードに関連してカード電源コントローラ３２からＰＣカードコントローラ２４ａ及び無線ＬＡＮカード１９への電力ＰＣ−Ｖ、またはＳＤカードコントローラ２４ｂ及びブルートゥースカード２０への電力ＳＤ−Ｖの一方を電源供給するものとし（ステップＢ１１）、その後再び上記ステップＢ０１からの待機状態に移行する。
【００７６】
このように、複数の通信デバイスとして例えば無線ＬＡＮカード１９とブルートゥースカード２０とを装着している場合に、設定によりウェイクアップ動作の実行が必要なもののみに、サスペンド状態とした電源オフ時にも電源を供給することにより、無駄な電力消費を避けながら、ウェイクアップ動作を待機することができる。
【００７７】
加えて、上記無線ＬＡＮカード１９及びブルートゥースカード２０はＰＣカードスロット１７、ＳＤカードスロット１８から装脱することが可能であり、ウェイクアップ動作の待機中に抜かれてしまうことも充分考え得る。
【００７８】
したがって、通信デバイスである無線ＬＡＮカード１９またはブルートゥースカード２０が脱離された場合にはこれを検出して直ちにその電源供給を停止させることで、無駄な電力消費を避けることができる。
【００７９】
その際、上記ステップＢ０８またはＢ０９で説明したように、抜かれなかったもう一方の通信デバイスに代わって電源を供給するようにすれば、確実にウェイクアップ動作を継続することができる。
【００８０】
なお、通信デバイスである無線ＬＡＮカード１９及びブルートゥースカード２０の識別情報を保持しておくことにより、その通信デバイスが抜かれてしまった場合でも、新たに通信デバイスが装着された際に取得する識別情報との一致を判断することで、正しい通信デバイスが装着されたのかどうかを認識できる。
【００８１】
したがって、一旦脱離された通信デバイスが再度装着されると、これを認識して再びその電源供給を開始し、元のウェイクアップ動作の待機状態に移行できる。
【００８２】
この場合、上記ステップＢ０８またはＢ０９で示したように、ウェイクアップ動作を継続させるものとして電源供給の系統を他に切換えた場合には、その切換えた他の系統の電源供給を停止して、元の系統でのウェイクアップ待機状態に戻すことで、無駄な電力消費を避けることができる。
【００８３】
なお、上記サウスブリッジ回路２３には、電源のオン／オフに関係なく現在時刻を計時し続けるＲＴＣ２５を接続している。したがって、ＥＣ２９に予めウェイクアップ動作を行なう時間帯の情報を設定しておけば、ＥＣ２９はサウスブリッジ回路２３に接続されたＲＴＣ２５の計時する現在時刻に対応して、設定した時間帯内でのみ、カード電源コントローラ３２により無線ＬＡＮカード１９の系統、もしくはブルートゥースカード２０の系統へ電源供給させることも可能となる。
【００８４】
これにより、ウェイクアップ起動信号を待機する動作が必要ないと考える時間帯には通信デバイスの動作に要する電源供給を停止するため、必要時間帯外の無駄な電力消費を確実に抑えられる。
【００８５】
なお、上記実施の形態では、図３でウェイクアップ動作の設定後、自動的にオペレーティングシステム及びアプリケーションプログラムの動作状態を維持するサスペンド状態として電源をオフするものとした。
【００８６】
このサスペンド状態での電源オフとすることにより、オペレーティングシステム及びアプリケーションプログラムを完全に終了させて電源をオフする場合に比べて、その後のウェイクアップ動作により電源をオンした場合に、速やかに起動してあるアプリケーションプログラムの動作に移行できる。
【００８７】
（この実施の形態の変形例）
図５に、上記図２で示した内容とは異なるパーソナルコンピュータ１０内の一部回路構成を示す。
なお、基本的には上記図２で示したものと同様であるので、同一部分には同一符号を付してその説明は省略する。
【００８８】
しかして、カードコントローラ２４とＰＣカードスロット１７との間に、データの送受の通過／遮断を切換えるインターフェイス断続用のＱ（Ｑｕｉｃｋ）−スイッチ（図では「Ｑ−ＳＷ」と称する）４１を設ける。
【００８９】
同様に、カードコントローラ２４とＳＤカードスロット１８との間に、データの送受の遮断／通過を切換えるインターフェイス断続用のＱ−スイッチ４２を設ける。
【００９０】
これらＱ−スイッチ４１，４２は、それぞれ無線ＬＡＮカード１９またはブルートゥースカード２０を用いてウェイクアップを待機する動作時以外にはデータの送受を遮断するように切換えておく。
【００９１】
これにより、カードコントローラ２４と無線ＬＡＮカード１９またはブルートゥースカード２０の間で、一方の系統に供給されている電力が他方の系統にも流れてしまうのを確実に回避することができ、無駄な電力消費を抑えられる。
【００９２】
なお、上記実施の形態は、ＰＣカードスロット１７に無線ＬＡＮカード１９を装着し、ＳＤカードスロット１８にブルートゥースカード２０を装着したパーソナルコンピュータ１０について例示したものであるが、この発明はこれに限らず、例えば有線ＬＡＮインターフェイスなどのウェイクアップ動作が可能なデバイスを複数有する携帯情報機器であれば、ＰＤＡやＰＯＳ（Ｐｏｉｎｔ　Ｏｆ　Ｓａｌｅｓ）システムの携帯登録端末機など、いずれにも適用可能であることは勿論である。
【００９３】
本実施の形態では、着脱可能な通信デバイスの例を示したが、この発明はこれに限定されず、複数の内蔵型通信デバイスにも適用可能である。
【００９４】
その他、この発明は上記実施の形態に限らず、その要旨を逸脱しない範囲内で種々変形して実施することが可能であるものとする。
【００９５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００９６】
【発明の効果】
この発明によれば、複数のウェイクアップ起動信号を受信可能な通信デバイス中でウェイクアップ起動信号の受信動作の実行が必要なもののみに装置本体の電源オフ時にも電源を供給することにより、無駄な電力消費を避けながら、ウェイクアップ起動信号の受信を待機することができる。
【図面の簡単な説明】
【図１】この発明の一実施の形態に係るパーソナルコンピュータの外観構成を示す図。
【図２】同実施の形態に係るパーソナルコンピュータ内の一部回路構成を示すブロック図。
【図３】同実施の形態に係るウェイクアップ機能設定時の処理内容を示すフローチャート。
【図４】同実施の形態に係るウェイクアップ動作時の処理内容を示すフローチャート。
【図５】同実施の形態に係るパーソナルコンピュータ内の他の一部回路構成を示すブロック図。
【符号の説明】
１０…パーソナルコンピュータ（ＰＣ）
１１…本体ケース
１２…ヒンジ機構
１３…表示部
１４…カラー液晶パネル
１５…電源スイッチ（ＳＷ）
１６…キーボード
１７…ＰＣカードスロット
１８…ＳＤカードスロット
１９…無線ＬＡＮカード
２０…ブルートゥースカード
２１…ＣＰＵ＋ノースブリッジ回路
２２…ＰＣＩバス
２３…サウスブリッジ回路
２４…カードコントローラ
２５…ＲＴＣ
２６…ＩＳＡバス
２７…ＢＩＯＳ−ＲＯＭ
２８…シリアルバス
２９…ＥＣ
３０…ＩＤＥインターフェイス
３１…ＨＤＤ
３２…カード電源コントローラ
３３…バッテリ
３４…電源コントローラ
３５…ＤＣ−ＤＣコンバータ
３６…ＡＣプラグ
３７…ＡＣアダプタ
４１，４２…Ｑ−スイッチ（ＳＷ）
【図１】
2004038295.tif 000003
【図２】
2004038295.tif 000004
【図３】
2004038295.tif 000005
【図４】
2004038295.tif 000006
【図５】
2004038295.tif 000007